(57)【要約】【課題】ファクシミリ通信機能を有する通信端末装置においては、端末が局から遠い場合、画信号が線路の影響を受けて高域がロスしたり、受信機への到達レベルが低すぎたり或るいは高すぎて、ＦＡＸ通信障害が発生するという問題があった。【解決手段】回線網１０１に接続される回線端子１０７を備えた通信端末装置１０２において、回線からのＣＮＧ信号のレベルを把握するＤＵＧＡＩＮ４０１と、入出力間で信号のレベルを変えるイコライザ／ゲイン調整部３０１とを備え、ＤＵＧＡＩＮ４０１が把握するＣＮＧ信号のレベルに応じてイコライザ／ゲイン調整部３０１のゲインを設定する通信制御部２０１を備える。【選択図】図３
2019193246.tif 000002
【特許請求の範囲】
【請求項１】
回線網に接続される回線端子を備えた通信端末装置において、
回線からのＣＮＧ信号のレベルを把握するレベル把握部と、
入出力間で信号のレベルを変える信号調整部と
を備え、
前記レベル把握部が把握するＣＮＧ信号のレベルに応じて前記信号調整部のゲインを設定する通信制御部
を備えたことを特徴とする通信端末装置。
【請求項２】
前記通信制御部は、前記レベル把握部が把握するＣＮＧ信号のレベルが低いほど、前記ゲインを上げる設定を行うことを特徴とする請求項１記載の通信端末装置。
【請求項３】
前記ゲインは、段階的に変化することを特徴とする請求項１又は２に記載の通信端末装置。
【請求項４】
前記信号調整部は、入出力間で信号の周波数特性をかえるイコライザ機能を備え、
前記回線からのＴＣＦ信号の高周波成分を検出するフィルタと、
前記高周波成分の高周波レベルを判定する高周波レベル判定部と
有し、
前記通信制御部は、前記高周波レベル判定部のレベル判定に応じて前記信号調整部のイコライザ特性を設定することを特徴とする請求項１から３までの何れかに記載の通信端末装置。
【請求項５】
前記通信制御部は、前記高周波レベル判定部が判定する前記高周波成分のレベルが低いほど、高域が上がるイコライザ特性を選択することを特徴とする請求項４記載の通信端末装置。
【請求項６】
前記高周波レベル判定部は、
前記高周波レベルと第１の閾値レベルとを比較する第１の比較器と、
前記高周波レベルと前記第１の閾値レベルより低い第２の閾値レベルとを比較する第２の比較器と、
前記高周波レベルと前記第２の閾値レベルより低い第３の閾値レベルとを比較する第３の比較器と
を備え、
前記通信制御部は、前記第１の比較器、前記第２の比較器、及び前記第３の比較器の出力に基づいて前記高周波レベルを判定することを特徴とする請求項４又は５に記載の通信端末装置。
【請求項７】
前記通信制御部は、前記ＴＣＦ信号による所定のデータを受信できなかった場合、前記イコライザ特性及び／又は前記ゲインを再設定して、送信機側に伝送レートを下げるように指示する信号を送信するか否かを判断することを特徴とする請求項４から６までの何れかに記載の通信端末装置。
【請求項８】
前記通信制御部は、所定の周波数帯域において略均一な周波数特性でない前記イコライザ特性が設定され、且つＥＣＭ通信モードで通信が行われる場合を除いて、前記送信機側に伝送レートを下げるように指示する信号を送信することを特徴とする請求項７記載の通信端末装置。
【請求項９】
前記通信制御部は、所定の周波数帯域において略均一な周波数特性でない前記イコライザ特性が設定され、且つＥＣＭ通信モードで通信が行われる場合、前記送信機側に伝送レートを下げるように指示する信号を送信しないことを特徴とする請求項７記載の通信端末装置。
【発明の詳細な説明】
【技術分野】
【０００１】
本発明は、ファクシミリ通信機能を有する通信端末装置に関する。
【背景技術】
【０００２】
従来、この種の装置では、国間毎に応じて適切なパラメータ（イコライザ等）を設定する内容の技術が開示されている（例えば、特許文献１参照）。
【先行技術文献】
【特許文献】
【０００３】
【特許文献１】特開２００２−３１４７８３号公報（第４頁、図１）
【発明の概要】
【発明が解決しようとする課題】
【０００４】
しかしながら、従来の装置では、端末が局から遠い場合、画信号が線路の影響を受けて高域がロスしたり、受信機への到達レベルがモデムの保証レベルより下がる場合があり、逆にＩＰ回線のように、ロスが発生しにくい為に受信機への到達レベルがモデムの保障レベルより高すぎる場合があり、例え同国内間の通信であっても、ＦＡＸ通信障害が発生するという問題があった。
【課題を解決するための手段】
【０００５】
本発明による通信端末装置は、回線網に接続される回線端子を備えた通信端末装置であって、
回線からのＣＮＧ信号のレベルを把握するレベル把握部と、入出力間で信号のレベルを変える信号調整部とを備え、
前記レベル把握部が把握するＣＮＧ信号のレベルに応じて前記信号調整部のゲインを設定する通信制御部を備えたことを特徴とする。
【発明の効果】
【０００６】
本発明の通信端末装置によれば、受信信号の状態に応じて信号調整部のゲインを適正に設定できるため、局からの距離等の回線状態に拘わらず、安定した通信が可能となる。
【図面の簡単な説明】
【０００７】
【図１】本発明による実施の形態１の通信端末装置の構成を、回線網、外付電話機と共に示すブロック図である。
【図２】通信端末装置を構成する回線制御部の内部構成を示すブロック図である。
【図３】通信制御部を構成するフィルタ部の内部構成を示すブロック図である。
【図４】路線距離、即ち端末と局との距離の長短によって異なる路線特性を示すグラフであり、縦軸にレベルをデシベルで示し、横軸に周波数をＨｚで示している。
【図５】ＴＣＦ信号の３４００Ｈｚの検出レベルに応じて調整される、イコライザ／ゲイン調整部のイコライザ特性を示すグラフである。
【図６】ＴＯＮＥ＿Ａ（ＩＩＲフィルタ）、ＡＢＳ＿Ａ部、及びエネルギー平均化フィルタ＿Ａ部と、各回路の特性を説明するための各出力波形を示す動作説明図である。
【図７】回線制御部の動作を説明するためのタイムチャートである。
【図８】実施の形態１における回線制御部による動作処理の流れを示すフローチャートであり、特に図７のタイムチャートの時刻ｔ８〜ｔ１７までの動作を指示するものである。
【図９】実施の形態１における回線制御部による動作処理の流れを示すフローチャートであり、特に図７のタイムチャートの時刻ｔ８〜ｔ１７までの動作を指示するものである。
【図１０】イコライザ／ゲイン調整部に設定するイコライザ特性（伝送距離で示している）とゲインの内容を示す図である。
【図１１】実施の形態２における回線制御部による動作処理の流れを示すフローチャートである。
【発明を実施するための形態】
【０００８】
実施の形態１．
図１は、本発明による実施の形態１の通信端末装置１０２の構成を、回線網１０１、外付電話機１０６と共に示すブロック図である。
【０００９】
同図に示すように、回線網１０１に接続される通信端末装置１０２の回線端子１０７は、回線制御部１０３に接続され、回線制御部１０３は、スキャナ部１０４とスキャナ部１０４に接続される印刷部１０５とに接続される。外付電話機１０６が接続される通信端末装置１０２の電話端子１０８は、回線制御部１０３を介して回線網１０１に繋がっている。
【００１０】
通信端末装置１０２は、スキャナ部１０４で読み取った原稿画像を、回線制御部１０３を通じて図示しない相手先の通信端末にファクシミリとして送信し、図示しない相手側の通信端末が読み取った原稿画像が、ファクシミリとして送られてきた場合、印刷部１０５にてこれを印刷する。また印刷部１０５は、スキャナ部１０４でコピーとして読み取った原稿画像を印刷し、外付電話機１０６は、相手側との会話で使用される。
【００１１】
図２は、通信端末装置１０２を構成する回線制御部１０３の内部構成を示すブロック図である。
【００１２】
同図において、通信制御部２０１は、リング検出判断部２０２、直流ループ形成指示部２０３、直流ループ形成判断部２０４、リレー制御部２０５、外付電話フックアップ判断部２０６、フィルタ部２０７、及びＦＡＸ通信処理部２０８を備えると共に、この回線制御部１０３全体を制御する。
【００１３】
リング検出判断部２０２は、後述するモデム２１０内の制御Ｉ／Ｆ２１１と接続され、回線から到来するリング信号をリング信号としてＯＫかＮＧかを判断する。即ち、後述するシリコンＤＡＡ２３０内のリング検出部２３２が受け、制御Ｉ／Ｆ２１１において通信制御部２０１が判別可能な信号に変換したリング信号のオン時間、オフ時間を判定することによりリング信号としてＯＫかＮＧかを判断する。
【００１４】
直流ループ形成指示部２０３は、制御Ｉ／Ｆ２１１と接続され、後述する直流ループ形成部２４０に回線の直流ループの形成を指示する。直流ループ形成判断部２０４は、制御Ｉ／Ｆ２１１と接続され、直流ループ形成部２４０が回線の直流を保持したかどうかを判断する。
【００１５】
リレー制御部２０５は、後述するリレー２５０と接続され、リレー２５０の動作を制御する。外付電話フックアップ判断部２０６は、後述する外付電話フックアップ検出部２８０と接続され、外付電話フックアップ検出部２８０の出力を所定の時間監視して外付電話機１０６がフックアップされたかどうかを判断する。
【００１６】
フィルタ部２０７は、制御Ｉ／Ｆ２１１とＦＡＸ通信処理部２０８とに接続され、所望のフィルタを形成し、回線から到来した信号を、シリコンＤＡＡ２３０内のＩ／Ｆ２３１、及びモデム２１０内の制御Ｉ／Ｆ２１１を経て入力し、フィルタリングして信号の到来を検出する。ＦＡＸ通信処理部２０８は、制御Ｉ／Ｆ２１１と接続され、回線からのＦＡＸ信号をやりとりし、後述するＦＴＴ信号やＣＦＲ信号等も発信する。尚、フィルタ部２０７については、後で詳しく説明する。
【００１７】
モデム２１０は、回線からの信号を通信制御部２０１で処理可能にしたり、通信制御部２０１からの信号を回線に送出するものであり、制御Ｉ／Ｆ２１１とＩ／Ｆ２１２を有する。Ｉ／Ｆ２１２は、制御Ｉ／Ｆ２１１と絶縁受渡部２２０とに接続される。制御Ｉ／Ｆ２１１は、その通信制御部２０１とモデム２１０との信号のやり取りの為のインターフェースである。Ｉ／Ｆ２１２は、モデム２１０とシリコンＤＡＡ（Ｄａｔａ  Ａｃｃｅｓｓ  Ａｒｒａｎｇｅｍｅｎｔ）２３０との信号のやり取りの為のインターフェースである。
【００１８】
絶縁受渡部２２０は、回線の１次側と２次側を直流的に分離するものであり、シリコンＤＡＡ２３０内のＩ／Ｆ２３１と接続される。シリコンＤＡＡ２３０は、回線とモデム２１０との間に入り、信号の送出や受信を行うものであり、Ｉ／Ｆ２３１とリング検出部２３２を有した一般的な構成である。シリコンＤＡＡ２３０内のＩ／Ｆ２３１は、リング検出部２３２の出力端子と直流ループ形成部２４０に接続され、回線からの信号をモデム２１０へ伝えたり、モデム２１０からの信号を回線へ送出したりするインターフェースである。
【００１９】
リング検出部２３２の一方の入力端子は、ダイオードブリッジ２６０の交流入力側Ａ及び回線端子１０７の一方の端子に接続され、その他方の入力端子はダイオードブリッジ２６０の交流入力側Ｂ及び回線端子１０７の他方の端子に接続され、ダイオードブリッジ２６０の交流入力側Ａは、リレー２５０の一方のスイッチの固定端子に接続され、ダイオードブリッジ２６０の交流入力側Ｂは、リレー２５０の他方のスイッチの固定端子に接続されている。リング検出部２３２は、回線から到来するリング信号を受けてリング検出判断部２０２に受け渡す為のインターフェースである。
【００２０】
直流ループ形成部２４０は、各入力端子がダイオードブリッジ２６０のプラスとマイナスにそれぞれ接続され、ダイオードブリッジ２６０のマイナスは、シリコンＤＡＡ２３０のグランドに接続されて回線の直流を保持する。ダイオードブリッジ２６０は、回線の直流の極性を直流ループ形成部２４０に合わせるもので、回線の極性が反転しようとしまいが、直流ループ形成部２４０に一方方向の直流が供給される。
【００２１】
リレー２５０は、一方のスイッチの可動端子が電話端子１０８の一方に接続され、他方のスイッチの可動端子が外付電話フックアップ検出部２８０を介して電話端子１０８の他方に接続され、装置が待機状態の場合、図２に示したオフ状態、即ち各スイッチが接続した状態とされて、ユーザーによる外付電話機１０６の使用を可能とし、通信等を行う場合、オン状態、即ち各スイッチが開放した状態とされて、外付電話機１０６の送話機からのノイズ等がシリコンＤＡＡ２３０を通じて、モデム２１０に入らないようにする。
【００２２】
外付電話フックアップ検出部２８０は、外付電話機１０６がフックアップされた場合、回線の直流にて動作し、外付電話機１０６のオフフック及びオンフックを検出する。
【００２３】
回線端子１０７は、回線網に接続される通信ケーブルの差し込み口であり、電話端子１０８は、外付電話機１０６に接続されるケーブルの差込口である。
【００２４】
図３は、通信制御部２０１を構成するフィルタ部２０７の内部構成を示すブロック図である。
【００２５】
同図に示すように、信号調整部としてのイコライザ／ゲイン調整部（ＦＩＲフィルタ）３０１の出力部がＡＧＣ部３０２の入力部に接続され、ＡＧＣ部３０２の出力部は、フィルタとしてのＴＯＮＥ＿Ａ部（ＩＩＲフィルタ）３０３、ＡＢＳ＿Ａ部３０４、及びエネルギー平均化フィルタ＿Ａ部３０５を介して第１の比較器としてのコンパレータ＿Ａ部３０７のプラス入力端子に接続され、コンパレータ＿Ａ部３０７のマイナス入力端子にはスライスレベル＿Ａ部３０６の出力部が接続されると共に、その出力端子がコンパレータ＿Ａ部の出力部３０８に接続されている。
【００２６】
ＡＧＣ部３０２の出力部は、またフィルタとしてのＴＯＮＥ＿Ｂ部（ＩＩＲフィルタ）３０９、ＡＢＳ＿Ｂ部３１０、及びエネルギー平均化フィルタ＿Ｂ部３１１を介して第２の比較器としてのコンパレータ＿Ｂ部３１３のプラス入力端子に接続され、コンパレータ＿Ｂ部３１３のマイナス入力端子にはスライスレベル＿Ｂ部３１２の出力部が接続されると共に、その出力端子がコンパレータ＿Ｂ部の出力部３１４に接続されている。
【００２７】
ＡＧＣ部３０２の出力部は、またフィルタとしてのＴＯＮＥ＿Ｃ部（ＩＩＲフィルタ）３１５、ＡＢＳ＿Ｃ部３１６、及びエネルギー平均化フィルタ＿Ｃ部３１７を介して第３の比較器としてのコンパレータ＿Ｃ部３１９のプラス入力端子に接続され、コンパレータ＿Ｃ部３１９のマイナス入力端子にはスライスレベル＿Ｃ部３１８の出力部が接続されると共に、その出力端子がコンパレータ＿Ｃ部の出力部３２０に接続されている。
【００２８】
尚、ＡＢＳ＿Ａ部３０４、エネルギー平均化フィルタ＿Ａ部３０５、スライスレベル＿Ａ部３０６、コンパレータ＿Ａ部３０７、ＡＢＳ＿Ｂ部３１０、エネルギー平均化フィルタ＿Ｂ部３１１、スライスレベル＿Ｂ部３１２、コンパレータ＿Ｂ部３１３、ＡＢＳ＿Ｃ部３１６、エネルギー平均化フィルタ＿Ｃ部３１７、スライスレベル＿Ｃ部３１８、コンパレータ＿Ｃ部３１９が、高周波レベル判定部に相当する。
【００２９】
イコライザ／ゲイン調整部（ＦＩＲフィルタ）３０１の出力部は、またＦＡＸ通信処理部２０８の入力部に接続され、イコライザ／ゲイン調整部（ＦＩＲフィルタ）３０１の入力部には、図２に示すように制御Ｉ／Ｆ２１１の出力部が接続される。
【００３０】
イコライザ／ゲイン調整部（ＦＩＲフィルタ）３０１は、イコライザ調整によって回線からの高域周波数成分のゲインを上げたり、ゲイン調整によって、回線からの信号レベルを上げたり、そのままスルーしたり、下げたりするものであり、ＦＩＲフィルタで構成される。イコライザ調整は、下記するように線路特性を補正するために行われる。
【００３１】
図４は、路線距離、即ち端末と局との距離の長短によって異なる路線特性を示すグラフであり、縦軸にレベルをデシベルで示し、横軸に所定の周波数帯域の周波数をＨｚで示している。同図では、例として、端末と局との距離が、０ｋｍ、１．８ｋｍ、３．６ｋｍ、７．２ｋｍの各場合での路線特性（周波数特性）を示している。同グラフに示すように、距離が長いほど、高域周波数のレベルが低下する傾向を示している。
【００３２】
図５は、後述するように、ＴＣＦ信号の３４００Ｈｚの検出レベルに応じて調整される、イコライザ／ゲイン調整部（ＦＩＲフィルタ）３０１の所定の周波数範囲でのイコライザ特性を示すグラフである。
【００３３】
同図には、イコライザを調整する際に、０ｋｍ対応のイコライザ特性が選択された場合、１．８ｋｍ対応のイコライザ特性が選択された場合、３．６ｋｍ対応のイコライザ特性が選択された場合、及び７．２ｋｍ対応のイコライザ特性が選択された場合の各周波数特性が示されており、これらのイコライザ特性が選択されることにより、図４に示すように伝送距離が長いほど、高域のレベルが低下する傾向を示す路線特性を、伝送距離に拘わらずになるべくフラットになるように補正する。尚、このイコライザ特性の選択方法については、後で詳細に説明する。  
【００３４】
ＡＧＣ部３０２は、オートゲインコントロールの機能を持ち、イコライザ／ゲイン調整部（ＦＩＲフィルタ）３０１から入力した信号のレベルに応じてゲインを調整した信号を出力する。また内部に、回線からの信号レベルを把握するレベル把握部としてのＤＵＧＡＩＮ４０１を備える。
【００３５】
ＴＯＮＥ＿Ａ（ＩＩＲフィルタ）３０３は、ＡＢＳ＿Ａ部３０４と接続され、ＡＢＳ＿Ａ部３０４は、エネルギー平均化フィルタ＿Ａ部３０５と接続され、エネルギー平均化フィルタ＿Ａ部３０５は、コンパレータ＿Ａ部３０７のプラス入力端子と接続される。同様に、ＴＯＮＥ＿Ｂ（ＩＩＲフィルタ）３０９は、ＡＢＳ＿Ｂ部３１０と接続され、ＡＢＳ＿Ｂ部３１０は、エネルギー平均化フィルタ＿Ｂ部３１１と接続され、エネルギー平均化フィルタ＿Ｂ部３１１は、コンパレータ＿Ｂ部３１３のプラス入力端子と接続される。同様に、ＴＯＮＥ＿Ｃ（ＩＩＲフィルタ）３１５は、ＡＢＳ＿Ｃ部３１６と接続され、ＡＢＳ＿Ｃ部３１６は、エネルギー平均化フィルタ＿Ｃ部３１７と接続され、エネルギー平均化フィルタ＿Ｃ部３１７は、コンパレータ＿Ｃ部３１９のプラス入力端子と接続される。
【００３６】
図６は、ＴＯＮＥ＿Ａ（ＩＩＲフィルタ）３０３、ＡＢＳ＿Ａ部３０４、及びエネルギー平均化フィルタ＿Ａ部３０５と、各回路の特性を説明するための各出力波形を示す動作説明図である。
【００３７】
同図に示す様に、ＴＯＮＥ＿Ａ（ＩＩＲフィルタ）３０３は、ＩＩＲのディジタルフィルタであり所望の特性を構成することが可能であり、ＡＢＳ＿Ａ部３０４は、ＴＯＮＥ＿Ａ（ＩＩＲフィルタ）３０３でフィルタリングされた信号の絶対値波形を出力し、エネルギー平均化フィルタ＿Ａ部３０５は、ＡＢＳ＿Ａ部３０４の出力の信号をある時定数で平均化する。
【００３８】
ＴＯＮＥ＿Ｂ（ＩＩＲフィルタ）３０９、ＡＢＳ＿Ｂ部３１０、及びエネルギー平均化フィルタ＿Ｂ部３１１も、対応するＴＯＮＥ＿Ａ（ＩＩＲフィルタ）３０３、ＡＢＳ＿Ａ部３０４、及びエネルギー平均化フィルタ＿Ａ部３０５と同一の特性を備え、更にＴＯＮＥ＿Ｃ（ＩＩＲフィルタ）３１５、ＡＢＳ＿Ｃ部３１６、及びエネルギー平均化フィルタ＿Ｃ部３１７も同一の特性を備える。
【００３９】
コンパレータ＿Ａ部３０７は、エネルギー平均化フィルタ＿Ａ部３０５の出力レベルとスライスレベル＿Ａ部３０６が出力する第１の閾値レベルとしての閾値レベルＡを比較して、比較結果に応じた出力信号をコンパレータ＿Ａ部の出力部３０８に出力する。従って、
エネルギー平均化フィルタ＿Ａ部３０５の出力レベル＞閾値レベルＡ
の時、コンパレータ＿Ａ部の出力部３０８は、ハイレベルとなり、
エネルギー平均化フィルタ＿Ａ部３０５の出力レベル＜閾値レベルＡ
の時、コンパレータ＿Ａ部の出力部３０８は、ローレベルとなる。
【００４０】
同様に、コンパレータ＿Ｂ部３１３は、エネルギー平均化フィルタ＿Ｂ部３１１の出力レベルとスライスレベル＿Ｂ部３１２が出力する第２の閾値レベルとしての閾値レベルＢを比較して、比較結果に応じた出力信号をコンパレータ＿Ｂ部の出力部３１４に出力する。従って、
エネルギー平均化フィルタ＿Ｂ部３１１の出力レベル＞閾値レベルＢ
の時、コンパレータ＿Ｂ部の出力部３１４は、ハイレベルとなり、
エネルギー平均化フィルタ＿Ｂ部３１１の出力レベル＜閾値レベルＢ
の時、コンパレータ＿Ｂ部の出力部３１４は、ローレベルとなる。
【００４１】
同様に、コンパレータ＿Ｃ部３１９は、エネルギー平均化フィルタ＿Ｃ部３１７の出力レベルとスライスレベル＿Ｃ部３１８が出力する第３の閾値レベルとしての閾値レベルＣを比較して、比較結果に応じた出力信号をコンパレータ＿Ｃ部の出力部３２０に出力する。従って、
エネルギー平均化フィルタ＿Ｃ部３１７の出力レベル＞閾値レベルＣ
の時、コンパレータ＿Ｃ部の出力部３２０は、ハイレベルとなり、
エネルギー平均化フィルタ＿Ｃ部３１７の出力レベル＜閾値レベルＣ
の時、コンパレータ＿Ｃ部の出力部３２０は、ローレベルとなる。
【００４２】
図７は、回線制御部１０３の動作を説明するためのタイムチャートであり、このタイムチャートを参照しながら回線制御部１０３の動作を説明する。
【００４３】
先ず各部の動作状態を示す「Ｈ」、「Ｌ」の意味について説明する。
リング検出判断部２０２では、リングが到来と判断した場合を「Ｈ」で示し、そうでない場合を「Ｌ」で示す。
直流ループ形成指示部２０３では、直流ループ形成を指示する場合を「Ｈ」で示し、そうでない場合を「Ｌ」で示す。
直流ループ形成判断部２０４では、直流ループ形成と判断した場合を「Ｈ」で示し、そうでない場合を「Ｌ」で示す。
リレー制御部２０５では、リレー２５０をオンする場合を「Ｈ」で示し、そうでない場合を「Ｌ」で示す。
ＦＡＸ通信処理部２０８では、ＦＡＸ通信を処理する場合を「Ｈ」で示し、そうでない場合を「Ｌ」で示す。
イコライザ／ゲイン調整部（ＦＩＲフィルタ）３０１では、ＦＩＲフィルタを調整実施する場合を「Ｈ」で示し、そうでない場合を「Ｌ」で示す。
ＡＧＣ部３０２では、オートゲインコントロール機能をオンする場合を「Ｈ」で示し、そうでない場合を「Ｌ」で示す。
ＤＵＧＡＩＮ４０１では、回線信号のレベルを把握した場合を「Ｈ」で示し、そうでない場合を「Ｌ」で示す。
ＴＯＮＥ＿Ａ３０３では、所望のフィルタを設定する場合を「Ｈ」で示し、そうでない場合を「Ｌ」で示す。
スライスレベル＿Ａ部３０６では、所望の閾値レベルＡを設定する場合を「Ｈ」で示し、そうでない場合を「Ｌ」で示す。
コンパレータ＿Ａ部の出力部３０８では、所望レベルの信号が到来した場合には「Ｈ」を出力し、そうでない場合は「Ｌ」を出力する。
ＴＯＮＥ＿Ｂ３０９では、所望のフィルタを設定する場合を「Ｈ」で示し、そうでない場合を「Ｌ」で示す。
スライスレベル＿Ｂ部３１２では、所望の閾値レベルＢを設定する場合を「Ｈ」で示し、そうでない場合を「Ｌ」で示す。
コンパレータ＿Ｂ部の出力部３１４では、所望レベルの信号が到来した場合には「Ｈ」を出力し、そうでない場合は「Ｌ」を出力する。
ＴＯＮＥ＿Ｃ３１５では、所望のフィルタを設定する場合を「Ｈ」で示し、そうでない場合を「Ｌ」で示す
スライスレベル＿Ｃ部３１８では、所望の閾値レベルＣを設定する場合を「Ｈ」で示し、そうでない場合を「Ｌ」で示す。
コンパレータ＿Ｃ部の出力部３２０では、所望レベルの信号が到来した場合には「Ｈ」を出力し、そうでない場合は「Ｌ」を出力する。
リング検出部２３２では、リングを検出した場合を「Ｈ」で示し、そうでない場合を「Ｌ」で示す。
直流ループ形成部２４０では、直流ループを形成する場合を「Ｈ」で示し、そうでない場合を「Ｌ」で示す。
リレー２５０では、リレー２５０がオンする場合を「Ｈ」で示し、そうでない場合を「Ｌ」で示す。
【００４４】
図７のタイムチャートにおいて、時刻ｔ１で、図示しない交換機からリング信号が到来し、リング検出部２３２でリングを検出すると、通信制御部２０１内のリング検出判断部２０２が、時刻ｔ２でリング到来と判断する。この判断に同期して、直流ループ形成指示部２０３が、時刻ｔ３で直流ループの形成を指示し、直流ループ形成部２４０は、この指示を受け、時刻ｔ４で直流ループを形成する。
【００４５】
直流ループ形成判断部２０４は、時刻ｔ５で、直流ループ形成部２４０が直流ループを形成したと判断し、リレー制御部２０５は、この判断に同期して、時刻ｔ６で、リレー２５０をオフからオンに設定する。これによりリレー２５０が、時刻ｔ７でオフ状態からオン状態となり、外付電話機１０６から回線路に混入するノイズがカットされる。
【００４６】
ここで、図示しない送信機から到来するＣＮＧ信号をフィルタ部２０７で検出するための準備をする。ＣＮＧ信号とは、周波数が１１００Ｈｚで、ＯＮ時間が０．５秒、ＯＦＦ時間が３秒の信号である。そのためここでは、３つあるフィルタのうち、例えばＴＯＮＥ＿Ａ（ＩＩＲフィルタ）３０３に対して、時刻ｔ８においてＣＮＧ検出のフィルタを設定し、時刻ｔ９において、スライスレベル＿Ａ部３０６にＣＮＧ信号を検出する為の所望のスライスレベルを設定する。ここでのスライスレベルとして、一般的には、−４３ｄＢｍのレベルを確実に検出する為に、例えば−４５ｄＢｍ程度とする。
【００４７】
時刻ｔ１０に、ＣＮＧ信号の到来によって、コンパレータ＿Ａ部の出力部３０８が「Ｈ」となると、これにより通信制御部２０１は、ＣＮＧが到来したと判断し、ＣＮＧ信号の到来により、ＡＧＣ部３０２内のＤＵＧＡＩＮ４０１が、時刻ｔ１１でＣＮＧ信号のレベルを把握した後の時刻ｔ１２において、ＡＧＣ部３０２のＡＧＣ機能をオフにする。
【００４８】
通信制御部２０１は、ＡＧＣ部３０２のＡＧＣ機能をオフにした直後の時刻ｔ１３において、ＴＯＮＥ＿Ａ（ＩＩＲフィルタ）３０３、ＴＯＮＥ＿Ｂ（ＩＩＲフィルタ）３０９、及びＴＯＮＥ＿Ｃ（ＩＩＲフィルタ）３１５にそれぞれ、高速信号の中で高い周波数を検出するフィルタを設定する。例えば、３４００Ｈｚの検出フィルタとなる。尚、高速信号には、通常３００Ｈｚ〜４０００Ｈｚ程度の周波数が含まれる。
【００４９】
通信制御部２０１は、更にその後の時刻ｔ１４で、スライスレベル＿Ａ部３０６、スライスレベル＿Ｂ部３１２、スライスレベル＿Ｃ部３１８に、それぞれスライスレベル（閾値レベル）を設定する。この時の各閾値レベルとして、例えば
スライスレベル＿Ａ部３０６の閾値レベルＡを、ＤＵＧＡＩＮ４０１での信号レベル値−１ｄＢとし、
スライスレベル＿Ｂ部３１２の閾値レベルＢを、ＤＵＧＡＩＮ４０１での信号レベル値−４ｄＢとし、
スライスレベル＿Ｃ部３１８の閾値レベルＣを、ＤＵＧＡＩＮ４０１での信号レベル値−７ｄＢとする。
【００５０】
通信制御部２０１は、その後の時刻ｔ１５において、コンパレータ＿Ａ部の出力部３０８、コンパレータ＿Ｂ部の出力部３１４、及びコンパレータ＿Ｃ部の出力部３２０の、それぞれの比較判定結果を得、その後の時刻ｔ１６において、時刻ｔ１１で得たＤＵＧＡＩＮ４０１での信号レベル値、及び時刻ｔ１５で得た各コンパレータの出力結果から、イコライザ／ゲイン調整部（ＦＩＲフィルタ）３０１のＦＩＲフィルタを調整する。この時のイコライザ及びゲインの調整方法については、後で詳細に説明する。尚、図７のタイムチャートおいて、時刻ｔ１５以後の、コンパレータ＿Ａ部の出力部３０８、コンパレータ＿Ｂ部の出力部３１４、及びコンパレータ＿Ｃ部の出力部３２０の表示は、「Ｈ」か「Ｌ」の何れの状態であることを示している。
【００５１】
その後の時刻ｔ１７で、ＦＡＸ通信処理部２０８において、ＦＡＸ通信の信号を処理する。
【００５２】
更に、回線制御部１０３の動作について説明する。図８、図９は、回線制御部１０３による動作処理の流れを示すフローチャートであり、特に図７のタイムチャートの時刻ｔ８〜ｔ１７までの動作を指示するものである。このフローチャートに沿って、以下に各部の動作をより詳細に説明する。尚、図８、図９のフローチャートは一連のフローチャートを構成するもので、接続記号（１）で繋がっている。
【００５３】
先ず、イコライザ／ゲイン調整部（ＦＩＲフィルタ）３０１のＦＩＲフィルタのゲイン及び周波数特性を、デフォルトの０ｄＢ及びフラットとする（ステップＳ１０１）。尚、このフローがスタートする時点でデフォルト値である場合は、このステップは不要である。ＣＮＧ信号が到来し、フィルタ部２０７の何れかのフィルタで検出されると（ステップＳ１０２，Ｙｅｓ）、ＡＧＣ部３０２内のＤＵＧＡＩＮ４０１にて、ＣＮＧ信号のレベルを把握し、これをＬｅｖｅｌ＿Ｄｅｃとおく（ステップＳ１０３）。
【００５４】
尚、ここでは前記したように、ＣＮＧ信号の検出をＴＯＮＥ＿Ａ部（ＩＩＲフィルタ）３０３〜コンパレータ＿Ａ部３０７で行っており、ステップＳ１０２からステップＳ１０３は、図７の時刻ｔ８から時刻ｔ１１に相当する。
【００５５】
次に、ＡＧＣ部３０２のＡＧＣ機能（オートゲインコントロール機能）をオフとする（ステップＳ１０４）。ＡＧＣ機能をＯＦＦにすることにより、スライスレベル＿Ａ部（３０６）、スライスレベル＿Ｂ部（３１２）、スライスレベル＿Ｃ部（３１８）の各閾値レベルに適正な値を設定でき、ＴＣＦ信号の高周波成分のロスの度合いが検出可能となる。尚、ステップＳ１０４は、図７の時刻ｔ１２に相当する。
【００５６】
Ｌｅｖｅｌ＿Ｄｅｃの値が第１のレベル、例えば−３ｄＢｍ以上の場合（ステップＳ１０５，Ｙｅｓ）、イコライザ／ゲイン調整部（ＦＩＲフィルタ）３０１のＦＩＲフィルタで、所定量、例えば６ｄＢ減衰させることとする（ステップＳ１０６）。
【００５７】
Ｌｅｖｅｌ＿Ｄｅｃの値が第１の（例えば−３ｄＢｍ）レベル未満であり（ステップＳ１０５，Ｎｏ）、で第２のレベル、例えば−３５ｄＢｍ以上の場合（ステップＳ１０７，Ｙｅｓ）、イコライザ／ゲイン調整部（ＦＩＲフィルタ）３０１のＦＩＲフィルタにゲインを持たせず、デフォルトの０ｄＢのままとし（ステップＳ１０８）、第２のレベル（例えば−３５ｄＢｍ）未満の場合（ステップＳ１０７，Ｎｏ、ステップＳ１０９）、イコライザ／ゲイン調整部（ＦＩＲフィルタ）３０１のＦＩＲフィルタで、所定量、例えば６ｄＢゲインを持たせることとする（ステップＳ１１０）。
【００５８】
尚、上記したステップＳ１０５からＳ１１０までの判定結果は、イコライザ／ゲイン調整部（ＦＩＲフィルタ）３０１のＦＩＲフィルタのゲインを決定するもので、後のステップＳ１１５で実行される。
【００５９】
次に、ＴＯＮＥ＿Ａ（ＩＩＲフィルタ）３０３、ＴＯＮＥ＿Ｂ（ＩＩＲフィルタ）３０９、ＴＯＮＥ＿Ｃ（ＩＩＲフィルタ）３１５にそれぞれ、高速信号の中で高い周波数を検出するフィルタを設定する。例えば、３４００Ｈｚの検出フィルタを設定し（ステップＳ１１１）、スライスレベル＿Ａ部３０６、スライスレベル＿Ｂ部３１２、スライスレベル＿Ｃ部３１８にそれぞれ閾値レベルを設定する（ステップＳ１１２）。
【００６０】
その際、ステップＳ１０３で得たＤＵＧＡＩＮ４０１の信号レベル値であるＬｅｖｅｌ＿Ｄｅｃを基準として用い、各設定値は、例えば下記の様にレベル差をつける。
スライスレベル＿Ａ部（３０６）の閾値レベルＡ  ：Ｌｅｖｅｌ＿Ｄｅｃ−１ｄＢ
スライスレベル＿Ｂ部（３１２）の閾値レベルＢ  ：Ｌｅｖｅｌ＿Ｄｅｃ−４ｄＢ
スライスレベル＿Ｃ部（３１８）の閾値レベルＣ  ：Ｌｅｖｅｌ＿Ｄｅｃ−７ｄＢ
尚、ステップＳ１１１は、図７の時刻ｔ１３に相当し、ステップＳ１１２は、図７の時刻ｔ１４に相当する。  
【００６１】
次に、送信機側から送られてくるＴＣＦ信号を受信する（ステップＳ１１３）。ＴＣＦ信号とは、高速のトレーニング信号であり、送信機側からある時間連続０の信号を送信し、受信機側である時間連続０を受信したら、その伝送レートで画信号を送信機側から送ることとなる。
【００６２】
受信機側で受けたＴＣＦ信号のデータがある時間以上連続０でなかった場合（ステップＳ１１４、Ｙｅｓ）、コンパレータ＿Ａ部の出力部３０８、コンパレータ＿Ｂ部の出力部３１４、及びコンパレータ＿Ｃ部の出力部３２０を確認してイコライザを決定し、イコライザ／ゲイン調整部（ＦＩＲフィルタ）３０１のＦＩＲフィルタのイコライザ及びゲインをそれぞれ決定した値に設定する（ステップＳ１１５）。尚、ステップＳ１１５は、図７の時刻ｔ１５と時刻ｔ１６に相当する。
【００６３】
表１は、このときのコンパレータ＿Ａ部の出力部３０８、コンパレータ＿Ｂ部の出力部３１４、コンパレータ＿Ｃ部の出力部３２０の各出力状態と、これによって選択決定されるイコライザの特性の関係を示す表である。
【００６４】
【表１】
2019193246.tif 000003
【００６５】
同表に示す様に、各出力部の状態に応じて、イコライザ／ゲイン調整部（ＦＩＲフィルタ）３０１のＦＩＲフィルタで選択されるイコライザの特性（伝送距離で示している）が決定される。即ち検出信号（３４００Ｈｚ）のレベルの低下が、０〜１ｄＢの範囲であれば０ｋｍ対応のイコライザが選択され、１ｄＢ〜４ｄＢの範囲であれば１．８ｋｍ対応のイコライザが選択され、４〜７ｄＢであれば３．６ｋｍ対応のイコライザが選択され、７ｄＢ以上であれば７．２ｋｍ対応のイコライザが選択される。尚、ゲインについては、前記したようにステップＳ１０５からＳ１１０までの判定結果に基づいて設定されるものである。
【００６６】
次に、ＦＴＴ信号をＦＡＸ通信処理部２０８から送信機側に送信して伝送レートを一段階フォールバックさせる（ステップＳ１１６）。ＦＴＴ信号とは、低速信号であり、受信機側で受けたＴＣＦのデータがある時間以上連続０でなかった場合、送信機にＴＣＦ信号の伝送レートを一段落とすことを伝えるものである。
【００６７】
その場合、ステップＳ１１３に戻って一段階落ちた伝送レートのＴＣＦ信号を受け、同様な処理に移行する。ステップＳ１１４において、受信機側で受けたＴＣＦのデータがある時間以上連続０であった場合（ステップＳ１１４，Ｎｏ）、ＣＦＲ信号をＦＡＸ通信処理部２０８から送信機側に送信する（ステップＳ１１７）。ＣＦＲ信号とは、低速信号であり、受信機側で受けたＴＣＦのデータがある時間以上連続０であった場合、送信機にＴＣＦ信号を送った時の伝送レートで、画信号を送ることを伝えるものである。
【００６８】
その後、送信機から画データが送られてきて、ＦＡＸ通信を行うこととなる（ステップＳ１１８）。尚、ステップＳ１１８は、図７の時刻ｔ１７に相当する。  
【００６９】
図１０は、上記した処理によって、イコライザ／ゲイン調整部（ＦＩＲフィルタ）３０１に設定する、所定の周波数帯域でのイコライザ特性（伝送距離で示している）とゲインの内容を示す図である。尚、同図に示す特性図は、図４，５で採用したグラフ上で表した場合の概略的な特性を示している。
【００７０】
同図に示す様に、表１で、０ｋｍ対応のイコライザが選択された場合には、図５に示す０ｋｍ対応の略フラット（均一）な周波数特性のイコライザが選択され、１．８ｋｍ対応のイコライザが選択された場合には、図５に示す１．８ｋｍ対応のやや高域上がりの周波数特性を有するイコライザが選択され、３．６ｋｍ対応のイコライザが選択された場合には、図５に示す３．６ｋｍ対応の高域上がりの周波数特性を有するイコライザが選択され、７．２ｋｍ対応のイコライザが選択された場合には、図５に示す７．２ｋｍ対応の、更に高域上がりの周波数特性を有するイコライザが選択される。
【００７１】
これらの選択により、図４に示すように伝送距離が長いほど、高域のレベルが低下する傾向を示す路線特性を、伝送距離に拘わらずになるべくフラットになるように補正する。
【００７２】
一方に、ゲイン設定においては、Ｌｅｖｅｌ＿Ｄｅｃの値に応じて−６ｄＢの減衰、増減なし、＋６ｄＢの何れかを選択することで、入力する信号レベルの高低に拘わらず、なるべく適切なレベルとなるように調整される。
【００７３】
以上のように、本実施の形態の通信端末装置によれば、相手機側からのＣＮＧ信号のレベルを把握して適切なゲインを決定し、また、ＴＣＦ信号の高周波成分を検出するフィルタを形成し、各コンパレータでの検出レベルをＣＮＧ信号のレベルから決定し、ＴＣＦ信号がある時間以上０を検出できなかった場合、各コンパレータの出力から、適切なイコライザを決定し、決定したゲインとイコライザをＦＩＲフィルタに反映させて自動ゲイン及び自動イコライザを形成している。
【００７４】
従って、本実施の形態の通信端末装置によれば、局からの距離によって変わる路線特性や受信する信号レベルに拘わらずにＦＡＸ通信障害を回避することが可能となる。
【００７５】
実施の形態２．
図１１は、実施の形態２の通信端末装置の回線制御部が実行する動作処理の流れを示すフローチャートである。
【００７６】
実施の形態２の回線制御部が、前記した図８、図９に示すフローチャートの処理が実装される実施の形態１の回線制御部１０３と主に異なる点は、図１１に示すフローチャートにおいて、ステップＳ１１５−１及びステップＳ１１５−２が追加された点である。従って、本実施の形態の通信端末装置が、前記した実施の形態１の通信端末装置１０２と共通する部分には同符号を付して、或いは図面を省いて説明を省略し、異なる点を重点的に説明する。尚、本実施の形態の通信端末装置の要部構成は、上記した点以外は、図１〜図３に示す実施の形態１の通信端末装置１０２の各ブロック図と共通するため、必要に応じて図１〜図３を参照する。尚、本実施の形態の通信端末装置は、実施の形態１の通信端末装置１０２と部分的に異なる処理を実行するが、ここでは便宜上、全ての構成部分において同符号を付して説明する。
【００７７】
図１１のフローチャートにおいて、ステップＳ９９では、前記した図８、図９に示すフローチャートにおけるステップＳ１０１〜ステップＳ１１２までが実行されるものである。従って、ここでの通信端末装置１０２が実行する動作処理は、追加されたステップＳ１１５−１及びステップＳ１１５−２を除いて、実施の形態１で説明した図８、図９に示す動作処理と全く同じであるため、ステップＳ１１４以降の動作処理について説明する。
【００７８】
受信機（ここでは通信端末装置１０２）側で受けたＴＣＦ信号のデータがある時間以上連続０でなかった場合（ステップＳ１１４、Ｙｅｓ）、コンパレータ＿Ａ部の出力部３０８、コンパレータ＿Ｂ部の出力部３１４、及びコンパレータ＿Ｃ部の出力部３２０を確認してイコライザを決定し、イコライザ／ゲイン調整部（ＦＩＲフィルタ）３０１のＦＩＲフィルタのイコライザ及びゲインをそれぞれ決定した値に設定する（ステップＳ１１５）。尚、イコライザ及びゲインの決定方法は、実施の形態１での同ステップの記述で説明した通りなので、ここでの説明は省略する。
【００７９】
ステップＳ１１５でイコライザ／ゲイン調整部（ＦＩＲフィルタ）３０１のイコライザ及びゲインを設定した後、選択したイコライザが０ｋｍ対応のイコライザ（表１参照）であるか否かを判定する（ステップＳ１１５−１）。ここで０ｋｍ対応のイコライザであると判定された場合（ステップＳ１１５−１、Ｙｅｓ）、受信機側で受けたＴＣＦ信号のデータがある時間以上連続０でなかった原因が、図示しない交換機と受信機との通信線路の、距離による損失以外の要因によるものと考えられるため、ＦＴＴ信号をＦＡＸ通信処理部２０８から送信機側に送信して伝送レートを一段階フォールバックさせる（ステップＳ１１６）。その場合、ステップＳ１１３に戻って一段階落ちた伝送レートのＴＣＦ信号を受け、同様な処理に移行する。尚、ＴＣＦ信号のデータがある時間以上連続０であることが、ＴＦＣ信号による所定のデータに相当する。
【００８０】
一方、ステップＳ１１５−１で、０ｋｍ対応のイコライザでないと判定された場合（ステップＳ１１５−１、Ｎｏ）、更にＦＡＸ通信がＥＣＭ通信モードで行われているか否かを判定する（ステップＳ１１５−２）。
【００８１】
ＥＣＭ通信モードとは、ＦＡＸ通信時に、画データが相手に正しく送られたか否かをチェックし、ノイズ等によりデータエラーが発生して画データが正しく送られていない場合、そのエラーが発生した分だけの画データの再送信を行うモードである。送信機側と受信機側が共にＥＣＭ機能を持ち、その設定が有効である場合、通信の初めに、送信機と受信機による低速信号のやり取りによりＥＣＭ通信モードに設定される。その後高速のトレーニング信号であるＴＣＦ信号を送信する。
【００８２】
ＦＡＸ通信がＥＣＭ通信モードになっていた場合（ステップＳ１１５−２、Ｙｅｓ）、受信機側で受けたＴＣＦ信号のデータがある時間以上連続０でなかった原因が、図示しない交換機と受信機との通信線路の、距離による損失によるもののみと推定されるため、イコライザ／ゲイン調整部（ＦＩＲフィルタ）３０１の調整によって改善されていると判断し、ＣＦＲ信号をＦＡＸ通信処理部２０８から送信機側に送信する（ステップＳ１１７）。その後、送信機から画データが送られてきて、ＦＡＸ通信を行うこととなる（ステップＳ１１８）。  
【００８３】
このとき、通信線路の距離による損失以外の要因によりＴＣＦのデータがある時間以上連続０とならなかった場合であっても、ＦＡＸ通信は、ＥＣＭ通信モードにより正しく送られなかった画データを再送信することにより、補完できる。
【００８４】
一方、ＦＡＸ通信がＥＣＭ通信モードでない場合（ステップＳ１１５−２、Ｎｏ）、受信機側で受けたＴＣＦ信号のデータがある時間以上連続０でなかった原因が、通信線路の距離による損失以外の要因によるものと考えられ、エラーとなった画データを復旧する方法がなくなるため、より確実に画データを送信できるよう、ＦＴＴ信号を受信機から送信機に送信して伝送レートを一段階フォールバックさせる（ステップＳ１１６）。
【００８５】
以上のように、本実施の形態の回線制御部１０３では、受信機側で受けたＴＣＦ信号のデータがある時間以上連続０でなかった場合、イコライザ設定から、図示しない交換機と通信装置端末間の通信経路に距離があると推定され、且つＦＡＸ通信がＥＭＣ通信モードである場合には、その原因が、距離による損失によるものであって、イコライザ／ゲイン調整部（ＦＩＲフィルタ）３０１の調整によって改善されていると判断し、伝送レートを一段階フォールバックさせることなくＦＡＸ通信を行う。
【００８６】
従って、本実施の形態の通信端末装置によれば、ＦＡＸ通信がＥＣＭ通信モードである場合において、ＦＡＸ通信の速度低下を防ぐことが可能となる。
【産業上の利用可能性】
【００８７】
通信端末装置として、例えばＭＦＰ（Ｍｕｌｔｉ  Ｆｕｎｃｔｉｏｎ  Ｐｒｉｎｔｅｒ）やファクシミリ等があるが、スキャナとプリンタを、ネットワークを介して接続した複合システムにも利用できる。
【符号の説明】
【００８８】
１０１  回線網、  １０２  通信端末装置、  １０３  回線制御部、  １０４  スキャナ部、  １０５  印刷部、  １０６  外付電話機、  １０７  回線端子、  １０８  電話端子、  ２０１  通信制御部、  ２０２  リング検出判断部、  ２０３  直流ループ形成指示部、  ２０４  直流ループ形成判断部、  ２０５  リレー制御部、  ２０６  外付電話フックアップ判断部、  ２０７  フィルタ部、  ２０８  ＦＡＸ通信処理部、  ２１０  モデム、  ２１１  制御Ｉ／Ｆ、  ２１２  Ｉ／Ｆ、  ２２０  絶縁受渡部、  ２３０  シリコンＤＡＡ、  ２３１  Ｉ／Ｆ、  ２３２  リング検出部、  ２４０  直流ループ形成部、  ２５０  リレー、  ２６０  ダイオードブリッジ、  ２８０  外付電話フックアップ検出部、  ３０１  イコライザ／ゲイン調整部（ＦＩＲフィルタ）、  ３０２  ＡＧＣ部、  ３０３  ＴＯＮＥ＿Ａ部（ＩＩＲフィルタ）、  ３０４  ＡＢＳ＿Ａ部、  ３０５  エネルギー平均化フィルタ＿Ａ部、  ３０６  スライスレベル＿Ａ部、  ３０７  コンパレータ＿Ａ部、  ３０８  コンパレータ＿Ａ部の出力部、  ３０９  ＴＯＮＥ＿Ｂ部（ＩＩＲフィルタ）、  ３１０  ＡＢＳ＿Ｂ部、  ３１１  エネルギー平均化フィルタ＿Ｂ部、  ３１２  スライスレベル＿Ｂ部、  ３１３  コンパレータ＿Ｂ部、  ３１４  コンパレータ＿Ｂ部の出力部、  ３１５  ＴＯＮＥ＿Ｃ部（ＩＩＲフィルタ）、  ３１６  ＡＢＳ＿Ｃ部、  ３１７エネルギー平均化フィルタ＿Ｃ部、  ３１８  スライスレベル＿Ｃ部、  ３１９  コンパレータ＿Ｃ部、  ３２０  コンパレータ＿Ｃ部の出力部、  ４０１  ＤＵＧＡＩＮ。
【図１】
2019193246.tif 000004
【図２】
2019193246.tif 000005
【図３】
2019193246.tif 000006
【図４】
2019193246.tif 000007
【図５】
2019193246.tif 000008
【図６】
2019193246.tif 000009
【図７】
2019193246.tif 000010
【図８】
2019193246.tif 000011
【図９】
2019193246.tif 000012
【図１０】
2019193246.tif 000013
【図１１】
2019193246.tif 000014